(57)【要約】【課題】複数の単位電池を組合わせて電池モジュールを構成する際に，単位電池の間の固定状態を強化すること。【解決手段】本発明によれば，複数の単位電池１００，２００と，複数の単位電池１００，２００のケース１４の外面に設置され，隣接する単位電池１００，２００を固定する固定部１６，１６’とを含むことを特徴とする，電池モジュールが提供される。【選択図】図３
2006278334.tif 000002
【特許請求の範囲】
【請求項１】
複数の単位電池と；
前記各単位電池の外枠を構成するケースの外面に設置され，互いに隣接する前記単位電池を固定する固定部と；
を備えることを特徴とする，電池モジュール。
【請求項２】
前記単位電池は，
前記ケースの外面に形成され，かつ，熱伝達媒体の流動通路を形成する隔壁を備えることを特徴とする，請求項１に記載の電池モジュール。
【請求項３】
前記固定部は，
前記複数の単位電池のうち，一の単位電池の外枠を構成するケースの外面に突出し，かつ，所定の間隔をおいて形成される第１固定部と；
前記一の単位電池に隣接する他の単位電池の外枠を構成するケースの外面に突出し，かつ，所定の間隔をおいて形成される第２固定部と；
を備え，
前記第１固定部と前記第２固定部とは，
互いに密着して支持されることを特徴とする，請求項１に記載の電池モジュール。
【請求項４】
前記隔壁は，
前記ケースの外面に，任意の間隔をおいて複数形成されることを特徴とする，請求項２に記載の電池モジュール。
【請求項５】
前記固定部は，
前記複数の単位電池のうち，一の単位電池の外枠を構成するケースの外面に形成されるリーブと；
前記一の単位電池に隣接する他の単位電池の外枠を構成するケースの外面に形成され，かつ，前記リーブと結合されるホルダーと；
を備えることを特徴とする，請求項１に記載の電池モジュール。
【請求項６】
前記ホルダーは，
前記ケースの外面に，任意の高さで突出して形成され，前記リーブの両側面を支持して前記リーブを固定することを特徴とする，請求項５に記載の電池モジュール
【請求項７】
前記固定部は，
前記複数の単位電池のうち，一の単位電池の外枠を構成するケースの外面に形成される雌コネクタと；
前記一の単位電池に隣接する他の単位電池の外枠を構成するケースの外面に形成され，かつ，前記雌コネクタと結合される雄コネクタと；
を備えることを特徴とする，請求項１に記載の電池モジュール。
【請求項８】
前記雌コネクタが形成された，前記一の単位電池の外枠を構成するケースの外面に，雄コネクタがさらに形成されることを特徴とする，請求項７に記載の電池モジュール。
【請求項９】
前記雄コネクタが形成された，前記他の単位電池の外枠を構成するケースの外面に，雌コネクタがさらに形成されることを特徴とする，請求項７に記載の電池モジュール。
【請求項１０】
前記隔壁は，
互いに隣接する単位電池の外枠を構成するケースの外面に密着して，前記熱伝達媒体の流動通路を形成することを特徴とする，請求項２に記載の電池モジュール。
【請求項１１】
前記互いに隣接する単位電池に，各々形成された隔壁は，所定の間隔をおいて配置されることを特徴とする，請求項１０に記載の電池モジュール。
【請求項１２】
前記互いに隣接する単位電池に，各々形成された隔壁は，雄雌結合方式で締結されて形成されることを特徴とする，請求項２に記載の電池モジュール。
【請求項１３】
前記ケースは，
各々，対向する両端が開口された管構造からなり，前記開口された部位に，正極端子および負極端子が設置された，キャッププレートが設置されることを特徴とする，請求項１に記載の電池モジュール。
【請求項１４】
前記複数の単位電池の間に，絶縁フィルムが介在されていることを特徴とする，請求項１に記載の電池モジュール。
【発明の詳細な説明】
【技術分野】
【０００１】
本発明は電池モジュールに関し，より詳しくは，隣接する単位電池の間の固定構造を改善した，電池モジュールに関する。
【背景技術】
【０００２】
最近になって，エネルギー密度の高い非水電解液を利用した高出力二次電池（ｒｅｃｈａｒｇｅａｂｌｅ ｂａｔｔｅｒｙ）が開発されており，この二次電池（以下では，単位電池とする）は，大きな電力を必要とする機器，例えばハイブリッド電気自動車などのモータ駆動に使用することができるように，複数が組合されてモジュール（以下では，電池モジュールとする）を構成する。
【０００３】
単位電池は，多様な形状に製造されており，代表的な形状としては，円筒形や角形（ｐｒｉｓｍａｔｉｃ）などがある。
【０００４】
単位電池が角形である場合，この単位電池は，正極および負極がセパレータを間において位置する電極群と，電極群が挿入される空間部が形成されているケースと，ケースに結合されて，これを密閉するキャッププレートと，キャッププレートから突出して，電極群の正極および負極に電気的に連結される正極端子および負極端子とを含む。
【０００５】
このような単位電池による電池モジュールは，単位電池を複数含み，これを一列に配列して，ねじ加工された負極端子および正極端子の間にナットを媒介として連結具を連結設置することによって構成される。
【０００６】
この時，単位電池の最外側には一対のエンドプレートが配置され，このエンドプレートにはリストレイントロッド（ｒｅｓｔｒａｉｎｔ ｒｏｄ）が締結されるので，単位電池は，エンドプレートによって加圧されて固定されることによって組立てられる。
【０００７】
しかし，従来の電池モジュールにおいて，単位電池の間は，互いに固定する別途の装置がなく，単純にリストレイントロッドによる締結圧によって固定されているため，電池モジュールを構成した後に外部から任意の力が加わると，固定状態が容易に解除されることがある。
【０００８】
さらに，構造では，電池モジュールを製造する過程で，単位電池を整列させて締結する過程が不便である。
【０００９】
一方，電池モジュールにおいては，単位電池の間に冷却用空気のような熱伝達媒体の流動通路を確保した隔壁（ｃｅｌｌ ｂａｒｒｉｅｒ）が配置されるが，この時，隔壁は，単位電池の間で一定の間隔を維持することによって流動通路を適正に確保することができる。
【００１０】
しかし，のように単位電池の固定状態に問題が発生する場合，隔壁もその固定状態に影響を受けるようになって流動通路を確保することができなくなるので，単位電池は，熱伝達媒体の供給を円滑に受けることができなくなり，過度な温度上昇によって作用上の問題が発生することがある。
【発明の開示】
【発明が解決しようとする課題】
【００１１】
そこで，本発明は，上記問題に鑑みてなされたものであり，本発明の目的とするところは，複数の単位電池を組合わせて電池モジュールを構成する際に，単位電池の間の固定状態を強化することが可能な，新規かつ改良された電池モジュールを提供することにある。
【課題を解決するための手段】
【００１２】
上記課題を解決するために，本発明のある観点によれば，複数の単位電池と；各単位電池の外枠を構成するケースの外面に形成され，互いに隣接する単位電池を固定する固定部と；を備えることを特徴とする，電池モジュールが提供される。
【００１３】
上記電池モジュールが備える単位電池は，該単位電池の外枠を形成するケースを含む。また，各ケースは，対向する一対の開口端を有する筒状の立体であってもよい。また，該立体は，平面と曲面とにより構成されていてもよい。さらに，複数の単位電池のうち，一の単位電池と他の単位電池とは，側面が互いに対向して配置されていてもよい。つまり，各ケースは，開口端の方向を同一にするように並置されていてもよい。上記固定部は，各ケースの外面に突出して形成されていてもよい。また，複数の単位電池を結合して，一の電池モジュールを形成する際，互いに隣接するケースの各固定部が，互いに咬合してもよい。かかる構成により，電池モジュール内に並置された各単位電池を固定することが可能になる。
【００１４】
単位電池は，ケースの外面に形成され，かつ，熱伝達媒体の流動通路を形成する隔壁を備えていてもよい。
【００１５】
上記電池モジュールが備える隔壁は，ケースの外面に形成され，熱伝達媒体の流動通路を形成してもよい。つまり，一対のケースが隣接して設置された際，一のケースに形成された隔壁と，他のケースの外面および隔壁と，により区画される空間が，熱伝達媒体を流動する通路を形成してもよい。かかる構成により，各ケースに掛かる外力に対し，影響されにくい強固な流動通路を形成することが可能になる。
【００１６】
固定部は，複数の単位電池のうち，一の単位電池の外枠を構成するケースの外面に突出し，かつ，互いに所定の間隔をおいて形成される複数の第１固定部と；一の単位電池に隣接する他の単位電池の外枠を構成するケースの外面に突出し，かつ，互いに所定の間隔をおいて形成される複数の第２固定部と；を備えていてもよい。また，第１固定部と第２固定部とは，互いに密着して支持されていてもよい。
【００１７】
上記固定部が備える第１固定部は，一の単位電池の外枠を構成するケースの外面に突出し，かつ，互いに所定の間隔をおいて形成されていてもよい。つまり，ケースの外面に突出して形成された複数の第１固定部は，互いに所定の間隔を有して配置されていてもよい。また，上記第２固定部は，該一の単位電池の外枠を構成するケースの外面に突出し，かつ，互いに所定の間隔をおいて形成されていてもよい。つまり，ケースの外面に突出して形成された複数の第２固定部は，互いに所定の間隔を有して配置されていてもよい。さらに，第１固定部と第２固定部とは，互いに密着して支持されていてもよい。つまり，互いに隣接するケースを接続する際に，突出した第１固定部の側面と第２固定部の側面とが互いに接触するように構成され，該各固定部の側面に垂直な方向に作用する力に対して抗力を生じる。かかる構成により，電池モジュールを構成する単位電池の外枠を構成するケースを，互いに隣接する各固定部が咬合して支持することにより，外力や他の圧力に対する耐性が強くなる。
【００１８】
隔壁は，ケースの外面に，任意の間隔をおいて複数形成されていてもよい。かかる構成により，熱伝達媒体が通過する流動通路の幅を適当に設定することができる。
【００１９】
固定部は，複数の単位電池のうち，一の単位電池の外枠を構成するケースに形成されるリーブと；一の単位電池に隣接する他の単位電池の外枠を構成するケースに形成され，かつ，リーブと結合されるホルダーと；を備えていてもよい。
【００２０】
上記固定部が備えるリーブは，複数の単位電池のうち，一の単位電池の外枠を構成するケースに形成される。また，上記ホルダーは，一の単位電池に隣接する他の単位電池の外枠を構成するケースに形成され，かつ，リーブと結合される。かかる構成により，各ケースを固定することが可能になる。
【００２１】
ホルダーは，ケースの外面に，任意の高さで突出して形成され，リーブの両側面を支持してリーブを固定することができる。かかる構成により，各ケースを確実に固定することが可能になる。
【００２２】
固定部は，複数の単位電池のうち，一の単位電池の外枠を構成するケースの外面に形成される雌コネクタと；一の単位電池に隣接する他の単位電池の外枠を構成するケースの外面に形成され，かつ，雌コネクタと結合される雄コネクタと；を備えていてもよい。
【００２３】
上記固定部が備える雌コネクタは，複数の単位電池のうち，一の単位電池の外枠を構成するケースの外面に形成される。また，雌コネクタは，ケースの外面に突出した突出部分の先端が凹んだ形状であってもよい。上記雄コネクタは，一の単位電池に隣接する他の単位電池の外枠を構成するケースの外面に突出して形成され，かつ，雌コネクタと結合される。該雄コネクタは，その先端部分が，雌コネクタと嵌合する構造であってもよい。かかる構成により，隣接するケース同士を確実に固定することが可能になる。
【００２４】
雌コネクタが形成された，一の単位電池の外枠を構成するケースの外面に，雄コネクタがさらに形成されていてもよい。
【００２５】
上記電池モジュールが備える雄コネクタは，雌コネクタが形成された，一の単位電池の外枠を構成するケースの外面にさらに形成されていてもよい。
【００２６】
雄コネクタが形成された，他の単位電池の外枠を構成するケースの外面に，雌コネクタがさらに形成されていてもよい。
【００２７】
雌コネクタは，雄コネクタが形成された，他の単位電池の外枠を構成するケースの外面にさらに形成されていてもよい。かかる構成により，隣接するケースをより強固に固定することが可能になる。
【００２８】
隔壁は，互いに隣接する単位電池の外枠を構成するケースの外面に密着して，熱伝達媒体の流動通路を形成してもよい。かかる構成により，熱伝達媒体の流動経路を容易に形成することが可能になる。
【００２９】
互いに隣接する単位電池に，各々形成された隔壁は，所定の間隔をおいて配置されていてもよい。かかる構成により，所定の大きさを有する熱伝達媒体の流動経路を形成することが可能になる。
【００３０】
互いに隣接する単位電池に，各々形成された隔壁は，雄雌結合方式で締結されて形成されていてもよい。かかる構成により，雄コネクタと雌コネクタとを嵌合させて，固定することが可能になる。
【００３１】
ケースは，各々，対向する両端が開口された管構造からなり，開口された部位に，正極端子および負極端子が設置された，キャッププレートが設置されていてもよい。
【００３２】
複数の単位電池の間に，絶縁フィルムが介在されていてもよい。かかる構成により，熱伝達媒体の流動経路を保ちながら，単位電池間の絶縁状態を確保することが可能になる。
【発明の効果】
【００３３】
以上説明したように，本発明によれば，単位電池のケースの外面に形成された固定部を利用して隣接する単位電池を互いに固定することによって，単位電池が電池モジュールを構成する場合，簡単に位置が移動してしまうことなく，安定して配列されるようにする。
【００３４】
これによって，本発明による電池モジュールは，その使用中に単位電池に対する固定状態が弛緩して発生する誤作動や未作動を未然に防止することができる。
【発明を実施するための最良の形態】
【００３５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００３６】
図１は，本発明の第１実施形態による単位電池を示した斜視図である。また，図２は，本発明の第１実施形態による単位電池を示した断面図である。
【００３７】
図１および図２を参照すると，単位電池は，正極１１および負極１２の間にセパレータ１３を挟んで形成される電極群２５と，電極群２５が挿入される空間が形成されるケース１４と，ケース１４に結合されて，空間が密閉空間になるように密閉するキャッププレート１７，１７’と，正極１１および負極１２に電気的に連結されながら，キャッププレート１７，１７’の外側に突出している正極端子２１および負極端子２３とを含む。
【００３８】
ここで，ケース１４は，アルミニウム，アルミニウム合金，またはニッケルがメッキされたスチールのような導電性金属からなる。
【００３９】
本実施形態において，ケース１４は，対向する平板部１４ａの両側に曲面部１４ｂが連結され，その両端が開口された管構造からなる。
【００４０】
正極端子２１が設置されたキャッププレート１７と，負極端子２３が設置されたキャッププレート１７’とは，ケース１４の開口部に対向した状態で設置されて，ケース１４を密閉する。
【００４１】
もちろん，本実施形態に係る電池モジュールにおいて，ケースの構造は，上述の構造にのみ限定されるものではなく，二次電池として周知の構造は全て適用されうる。また，将来の時点において，一般に流通する電池モジュールのケース構造においても，本発明に係る実施形態を適用することが可能である。
【００４２】
ケース１４の外面には，複数の隔壁１５，１５’が形成される。本実施形態において，隔壁１５，１５’は，ケース１４の外面に所定の間隔をおいてケース１４の垂直方向（図面のＺ方向）に沿って，長く配置された形状に突出して形成される。
【００４３】
ここで，隣接する一対のケース１４が，互いに同じ方向で並置された場合を考えると，一のケース１４の一面に形成された隔壁１５と，他のケース１４の他面に形成された隔壁１５’とは，交互に配列された状態で対向して配置される。つまり，一面に形成された隔壁１５の間に他面に形成された隔壁１５’が配置され，他面に形成された隔壁１５’の間に一面に形成された隔壁１５が配置される。
【００４４】
本実施形態に係る電池モジュールは，上述のような隔壁１５，１５’の配置がなされるように，それぞれ，単位電池が配列される。
【００４５】
さらに，ケース１４には，電池モジュールが構成される際に，隣接する単位電池を相互に固定するための固定部１６，１６’が形成される。本実施形態において，固定部１６，１６’は，隔壁１５，１５’と同一な形状からなっている。また，各々，ケース１４の両外面にあり，隔壁１５，１５’が隣接するようにケース１４の最外側サイドに配置される。つまり，並置された隔壁１５，１５’の最外部には，固定部１６，１６’が配置されていてもよい。
【００４６】
ここで，対向する固定部１６，１６’は，同一中心線上に位置せずに，いずれか一つが間隔（本実施形態では，固定部の厚さ程度）をおいて移動した状態で位置する。つまり，一面に形成された固定部１６と，他面に形成された固定部１６’とは，対称な位置関係にはない。従って，隣接する一対のケース１４，１４を，中心が一致するように，並行に配置した場合であっても，互いに対向する固定部１６，１６’は，位置が一致しない。特に，そのズレ幅を固定部１６，１６’の幅程度にしてある為，上述のように，中心が一致するように接合すると，対向する一対の固定部１６，１６’は，側面を接するように密着する。
【００４７】
図３は，本発明の第１実施形態にかかる電池モジュールの一部を示した平面図である。電池モジュールは，複数の単位電池が組み合わされて，ハウジング（図示せず）内に設置されることによって構成される。ハウジング内では，冷却空気のような熱伝達媒体が流通する。
【００４８】
複数の単位電池が組み合わされて，集合体（ａｇｇｒｅｇａｔｅ）を構成する場合，単位電池は，その正極端子，および負極端子が同一方向に位置するようにして，一列に配列される。つまり，一の単位電池の一側に正極端子が位置するように配置した場合，隣接する他の単位電池の一側には，負極端子が位置するように配置される。もちろん，一側と対向する他側においても，負極端子と正極端子とが交互に位置する。
【００４９】
このように構成すると，並置された単位電池は，直列状態で電気的に連結されることができる。つまり，隣接する単位電池の一側に位置する，正極端子と負極端子とを接続することが容易になり，直列の接続構造を構成することができる。このような構成をとるために，各単位電池は，正極端子および負極端子が交互に配置されるように配列される。この状態で，図３に示したように，正極端子２１および負極端子２３には，導電性を有する連結具２８が連結される。
【００５０】
このとき，隣接する単位電池は，その隔壁１５，１５’を交互に配置しながら，それ自体の隔壁を，対向する単位電池のケースの外面に密着させるようになる。
【００５１】
例えば，図３を参照にすると，隣接する単位電池１００および単位電池２００は，それ自体の隔壁１５’および隔壁１５が，互いに交互に配置されるように結合されながら，密着する。つまり，単位電池１００の隔壁１５’は，単位電池２００のケースの外面に密着され，かつ，単位電池２００の隔壁１５は，単位電池１００のケースの外面に密着する。
【００５２】
このような方式により，隔壁１５’，１５が配置されると，隔壁１５，１５’の間には，所定の大きさの空間が形成されるので，これによって，熱伝達媒体が流通するチャンネルが形成される。
【００５３】
さらに，これら単位電池１００，２００の結合状態において，単位電池１００，２００の固定部１６’，１６は，互いに密着しながら接触するため，接触の際に発生する力によって，単位電池１００，２００が互いに固定される。
【００５４】
つまり，単位電池１００の第１固定部１６’が，単位電池２００の第２固定部１６に挿入され，結合されて発生する支持力によって，単位電池１００，２００が互いに固定されるようになるのである。
【００５５】
このような方式により，複数の単位電池が結合されながら，互いに固定される。
【００５６】
一方，固定部の位置は上述した例に限定されない。固定部の位置は，隣接する単位電池を固定することができる位置であれば，単位電池のどの部位に位置してもかまわない。また，２箇所に限定されるものでもない。
【００５７】
さらに，図４を参照すると，電池モジュールには，単位電池の間の不必要な電気的短絡を防止するため，単位電池の間に絶縁フィルム２９が介在してもよい。この絶縁フィルム２９は，隔壁および固定部の固有の機能を妨害せず，これらの間に嵌合された状態に設置されて，単位電池を電気的に絶縁させることができる。
【００５８】
図５は，本発明の第２実施形態による電池モジュールの一部分を示す平面図である。この電池モジュールは，第１実施形態の電池モジュールの構造を基本にしつつ，固定部を異なる形状に構成するので，以下では，便宜上，固定部についてのみ説明する。
【００５９】
この第２実施形態において，固定部３１０は，第１実施形態と同様に，隔壁３０４と同一な形状であり，単位電池３００のケース３０２の一面に形成されるリーブ３０６と，ケース３０２の一面に対向する他面に形成され，リーブ３０６と結合されることによってこれを固定するホルダー３０８とを含む。
【００６０】
この第２実施形態において，リーブ３０６およびホルダー３０８は，ケース３０２の両端に配置される。ホルダー３０８は，リーブ３０６と雄雌結合方式で締結されて，リーブ３０６の両側面を支持して，リーブを固定することができる形状に形成される。雄雌結合方式は，凹部と凸部とが嵌合して，結合される方式のことを意味していてもよい。つまり，ホルダー３０８の凹部に，凸部であるリーブ３０６が嵌合して，両者が固定されうる。
【００６１】
このために，ホルダー３０８は，リーブ３０６に対して固定力を発揮することができる最低限の高さを有して，ケース３０２の他面から突出形成される。
【００６２】
このような固定部３１０が形成され，一列に配列された複数の単位電池３００は，固定部３１０を利用して固定され，電池モジュールを構成する。
【００６３】
図６は，本発明の第３実施形態による二次電池モジュールの一部を示した平面図である。この電池モジュールも，第１実施形態の電池モジュールの構造を基本にしつつ，固定部を異なる形状に構成するので，以下では，便宜上，固定部についてのみ説明する。
【００６４】
この第３実施形態において，固定部４００，４００’は，第１実施形態の固定部と基本的には，同様な形状に形成される。しかし，固定部４００，４００’は，単位電池の固定状態をより強化するために，単位電池４０２の固定部４００’が隣接する，他の単位電池４０４の固定部４００と接した状態で，単位電池４０４のケース４０６に形成された溝４０８に挿入される。
【００６５】
つまり，この第３実施形態では，固定部４００，４００’の結合力に加えて，固定部４００および溝４０８の挿入結合による力を利用して，単位電池４０２，４０４の間の固定状態を強化することができる。
【００６６】
図６では，固定部４００，４００’のうち，一の面に形成された固定部４００のみが溝４０８に挿入された状態を示したが，反対の面に位置する固定部４００’が固定される溝が形成されていてもよい。また，両方の固定部４００，４００’が各々対応する溝に挿入されて，単位電池の固定状態を強化することもできる。
【００６７】
図７は，本発明の第４実施形態による電池モジュールの一部を示した平面図である。この電池モジュールも，第１実施形態の電池モジュールの構造を基本にしつつ，固定部を異なる形状に構成するので，以下では，便宜上，固定部についてのみ説明する。
【００６８】
この第４実施形態において，固定部５００は，隣接する単位電池５０２，５０４に各々形成される。単位電池５０２，５０４が一列に配列されて電池モジュールを構成する場合，固定部５００は，対向配置されて結合される雌コネクタ５０６および雄コネクタ５０８を含む。
【００６９】
ここで，雌コネクタ５０６および雄コネクタ５０８は，図７に示したように，隣接する単位電池５０２，５０４が対向した状態で，この単位電池５０２，５０４の一側に混ざって配置されることもできる。例えば，一側に２の固定部が形成される場合，一の固定部の形状が雄コネクタであり，他の固定部の形状が雌コネクタであってもよい。もちろん，図８に示したように，単位電池５０２，５０４の一側にいずれか一つに統一されて配置されることもできる。
【００７０】
それだけでなく，第４実施形態において，雌コネクタおよび雄コネクタは，図７に示した形状の他にも多様な形状に形成されることができる。図９に示したように，雌コネクタ５１０および雄コネクタ５１２は，その先端が湾曲した形状に形成されてもよい。また，図１０に示したように，雌コネクタ５１４および雄コネクタ５１６は，その先端が凹凸をなす形状に形成されることもできる。つまり，この第４実施形態において，雌コネクタおよび雄コネクタは，雄雌結合方式で結合されて単位電池を固定する力を発揮することができる形状であれば，いずれも適用することができる。従って，両コネクタが嵌合可能な形状であればよい。
【００７１】
また，この第４実施形態において，雌コネクタおよび雄コネクタからなる固定部は，熱伝達媒体の流動通路を形成する隔壁５１８，５２０より広い幅を有して形成される（図７参照）。
【００７２】
これは，雌コネクタおよび雄コネクタの接触面積を拡張して，これらの結合力によって単位電池が安定的に互いに結合されるようにするのを助けるためである。
【００７３】
さらに，図７〜図１０では，固定部が単位電池の両端又は両端付近に配置されることを示したが，これは一例にすぎず，必要に応じてその配置状態は自由に変更されることができる。
【００７４】
このように，第４実施形態では，雄雌結合方式で結合される固定部の構造によって，電池モジュールを構成する単位電池の間の固定状態を強化するようになる。
【００７５】
図１１は，第４実施形態の変形例である。図１１を参照すれば，この変形例の電池モジュールにおいて，固定部６００は，第４実施形態と同一な嵌合方式からなり，かつ，隔壁６０２も固定部６００と同一な嵌合方式からなる。
【００７６】
つまり，この変形例において，隔壁６０２は，その本来の機能を維持しながら，固定部の機能を兼ねることができる。
【００７７】
従って，この変形例の電池モジュールは，単位電池の固定状態を一層強化することができる。
【００７８】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７９】
例えば，本発明の各実施形態に係る電池モジュールは，ＨＥＶ（ハイブリッド電気自動車），ＥＶ（電気自動車），無線掃除機，電動自転車，電動スクーターなどのようにモータを使用して作動する機器において，当該機器のモータを駆動するためのエネルギー源として使用することができる。もちろん，その用途は，必ずしもこれに限定されるものではない。
【図面の簡単な説明】
【００８０】
【図１】本発明の第１実施形態による単位電池を示した斜視図である。
【図２】本発明の第１実施形態による単位電池を示した断面図である。
【図３】本発明の第１実施形態による電池モジュールの一部を示した平面図である。
【図４】本発明による電池モジュールにおいて，単位電池の間に絶縁フィルムが介在された状態を示した部分平面図である。
【図５】本発明の第２実施形態による電池モジュールの一部を示した平面図である。
【図６】本発明の第３実施形態による電池モジュールの一部を示した平面図である。
【図７】本発明の第４実施形態による二次電池モジュールの一部を示した平面図である。
【図８】本発明の第４実施形態による電池モジュールにおいて，固定部の多様な例を示した部分平面図である。
【図９】本発明の第４実施形態による電池モジュールにおいて，固定部の一例を示した部分平面図である。
【図１０】本発明の第４実施形態による電池モジュールにおいて，固定部の一例を示した部分平面図である。
【図１１】本発明の第４実施形態の変形例による電池モジュールの一部を示した断面図である。
【符号の説明】
【００８１】
１００，２００      単位電池
１１      正極
１２      負極
１３      セパレータ
１４      ケース
１５，１５’      隔壁
１６，１６’      固定部（第１固定部，第２固定部）
１７，１７’      キャッププレート
２１      正極端子
２３      負極端子
２５      電極群
２９      絶縁フィルム
３０６      リーブ
３０８      ホルダー
４０８      溝
５０６      雌コネクタ
５０８      雄コネクタ
【図１】
2006278334.tif 000003
【図２】
2006278334.tif 000004
【図３】
2006278334.tif 000005
【図４】
2006278334.tif 000006
【図５】
2006278334.tif 000007
【図６】
2006278334.tif 000008
【図７】
2006278334.tif 000009
【図８】
2006278334.tif 000010
【図９】
2006278334.tif 000011
【図１０】
2006278334.tif 000012
【図１１】
2006278334.tif 000013